(57)【特許請求の範囲】
【請求項１】
バケツ、把手、および把手を上記バケツに対して所望の傾斜角度に調節保持する角度調節機構を備え、上記把手は左右のアーム上端が竿掛により連結され、この竿掛が螺旋状に形成されており、さらにこの把手の各アーム上端には螺旋状に形成された補助竿掛がそれぞれ左右外方に張り出すように揺動自在に設けられるとともに、上記補助竿掛を略水平状態に保持する保持機構を備えることを特徴とする釣竿保持具。
【請求項２】
請求項１記載の釣竿保持具において、上記保持機構は、把手の各アーム上端から左右外方に円筒状の突出部が突出され、この突出部の下部に上記補助竿掛嵌入用の切欠部が形成されるとともに、上記突出部に外嵌される摘まみカバーを備えることを特徴とする釣竿保持具。
【請求項３】
バケツ、前後２つの把手、および各把手を上記バケツに対して所望の傾斜角度に調節保持する角度調節機構を備え、上記把手は左右のアーム上端が竿掛により連結され、これら前後の竿掛の内、竿先側の竿掛は螺旋状に形成され、竿尻側の竿掛は波形に形成されていることを特徴とする釣竿保持具。
【請求項４】
バケツ、前後２つの把手、および各把手を上記バケツに対して所望の傾斜角度に調節保持する角度調節機構を備え、上記把手は左右のアーム上端が竿掛により連結され、これら前後の竿掛の内、竿先側の竿掛は螺旋状に形成され、竿尻側の竿掛は平板状に形成されており、この平板状の竿掛に竿受けが着脱可能に取り付けられていることを特徴とする釣竿保持具。
【請求項５】
請求項４記載の釣竿保持具において、上記平板状の竿掛には長手方向に沿って上記竿受けを取付ネジで取り付けるための複数の取付穴が形成されていることを特徴とする釣竿保持具。
【請求項６】
請求項５記載の釣竿保持具において、上記竿受けは、上記平板状の竿掛に取り付けられるベース、リールが載置されるリール置き、および両者間に介在される中間部材が互いに揺動可能に連結されるとともに、上記ベースの底部の前記竿掛に当接される両側部は角度調整用として円弧状に形成されていることを特徴とする。
【請求項７】
請求項１ないし請求項６のいずれか１項に記載の釣竿保持具において、上記把手のアームを所定の長さに調節保持する長さ調節機構を有することを特徴とする釣竿保持具。
【請求項８】
請求項１ないし請求項７のいずれか１項に記載の釣竿保持具において、上記螺旋状の竿掛は、左右の各アームから中央に向けて螺旋状の巻方向が互いに逆向きとなるように形成されていることを特徴とする釣竿保持具。
【請求項９】
請求項１ないし請求項８のいずれか１項に記載の釣竿保持具において、上記螺旋状の竿掛は、その表面に滑止用のラバーが固着されていることを特徴とする釣竿保持具。
【発明の詳細な説明】
【技術分野】
【０００１】
本発明は、投げ釣り、ファミリーフッシング、イカダ釣り、フカセ釣り、紀州釣り、あるいは海の釣り堀りなどの各種の魚釣を行う場合において、釣竿を保持するのに好適に使用される釣竿保持具に関するものである。
【背景技術】
【０００２】
一般に、投げ釣り、ファミリーフッシング、イカダ釣りなどの各種の釣りを行う場合、魚が釣れるまでの間、釣竿をそのまま手で保持しておくのは大変に疲れるので、魚信を監視する上でも有利なように、従来より釣竿を保持するための竿掛け治具が広く使用されている。
【０００３】
このような竿掛け治具を使用する場合において、大物の魚を釣った際には竿掛け治具が引き倒されてしまう恐れがあるため、従来、例えば、竿掛け治具が三脚のようなものでは、手近にある石ころや専用の砂袋などを補助的に重りとして竿掛け治具に取り付けている。
【０００４】
しかしながら、釣り場によっては重りとなる適当な石ころが周りに存在しない場合があり、また、専用の砂袋などを常時準備して釣り場まで運び込むのは余分な労力を要する。
【０００５】
また、従来、竿掛け治具に万力を設け、この万力によって竿掛け治具を構造物に固定するようにしたものも提供されているが、釣り場では万力で挟むのに適した構造物が周りに存在しない場合も多く、その場合には不便をきたす。
【０００６】
そこで、従来技術では、バケツに竿掛け治具を取り付け、釣り場においてバケツに水を満たすことで竿掛け治具の重りとして利用できるようにしたものが提案されている（例えば、特許文献１，２等参照）。
【０００７】
このような特許文献１，２に記載されている従来技術のものは、持ち運びが容易であり、しかも釣竿を安定して簡単に設置、保持することができる利点がある。
【０００８】
【特許文献１】実開平４−３３３６８号公報
【特許文献２】実開平７−１７７１号公報
【発明の開示】
【発明が解決しようとする課題】
【０００９】
しかしながら、特許文献１に記載される従来のものにおいては、釣竿の竿尻を竿掛け治具に差し込んで装着する構成になっているため、釣竿の支持スパンが短くならざるを得なかった。このため、釣竿が横風などを受けた際に竿掛け治具に過剰な力が加わり、このためバケツに竿受け治具を支持する支柱を設けた場合であっても、竿掛け治具がバケツと共に簡単に横倒れしてしまうという不具合を生じる。
【００１０】
また、投げ釣りやイカダ釣りを行う場合には、糸の振りだし距離に応じて釣竿の水面に対する傾斜角度が変化する。しかし、特許文献２に記載されている従来技術のものは、釣竿が常に一定の傾斜角度で保持される構造になっているため、釣竿の水面に対する傾斜角度を自由に調節することが難しい。
【００１１】
さらに、投げ釣りなどでは、複数の釣り位置（ポイント）で同時に釣りが行えるように、複数の釣竿を互いに設置角度をずらせた状態で配置することが通常行われているが、特許文献１，２のものでは、複数の釣竿を角度を変えた状態で配置して釣竿を保持することが難しい。
【００１２】
本発明は、上記の課題を解決するためになされたもので、持ち運びや設置が簡単で、また、従来よりも一層安定して釣竿を保持することができ、しかも、釣竿の角度調節も容易で、さらに、投げ釣り、ファミリーフッシング、イカダ釣り、フカセ釣り、紀州釣り、あるいは海の釣り堀りなどの各種の魚釣に適応して使用することができる釣竿保持具を提供することを目的とする。
【課題を解決するための手段】
【００１３】
上記の目的を達成するために、本発明の釣竿保持具にあっては、次の構成を採用している。
すなわち、請求項１記載の発明における釣竿保持具は、バケツ、把手、および把手を上記バケツに対して所望の傾斜角度に調節保持する角度調節機構を備え、上記把手は左右のアーム上端が竿掛により連結され、この竿掛が螺旋状に形成されており、さらにこの把手の各アーム上端には螺旋状に形成された補助竿掛がそれぞれ左右外方に張り出すように揺動自在に設けられるとともに、上記補助竿掛を略水平状態に保持する保持機構を備えることを特徴とする。
【００１４】
請求項２記載の発明における釣竿保持具は、請求項１記載の発明の構成において、上記保持機構は、把手の各アーム上端から左右外方に円筒状の突出部が突出され、この突出部の下部に上記補助竿掛嵌入用の切欠部が形成されるとともに、上記突出部に外嵌される摘まみカバーを備えることを特徴とする。
【００１５】
請求項３記載の発明における釣竿保持具は、バケツ、前後２つの把手、および各把手を上記バケツに対して所望の傾斜角度に調節保持する角度調節機構を備え、上記把手は左右のアーム上端が竿掛により連結され、これら前後の竿掛の内、竿先側の竿掛は螺旋状に形成され、竿尻側の竿掛は波形に形成されていることを特徴とする。
【００１６】
請求項４記載の発明における釣竿保持具は、バケツ、前後２つの把手、および各把手を上記バケツに対して所望の傾斜角度に調節保持する角度調節機構を備え、上記把手は左右のアーム上端が竿掛により連結され、これら前後の竿掛の内、竿先側の竿掛は螺旋状に形成され、竿尻側の竿掛は平板状に形成されており、この平板状の竿掛に竿受けが着脱可能に取り付けられていることを特徴とする。
【００１７】
請求項５記載の発明における釣竿保持具は、請求項４記載の発明の構成において、上記平板状の竿掛には長手方向に沿って上記竿受けを取付ネジで取り付けるための複数の取付穴が形成されていることを特徴とする。
【００１８】
請求項６記載の発明における釣竿保持具は、請求項５記載の発明の構成において、上記竿受けは、上記平板状の竿掛に取り付けられるベース、リールが載置されるリール置き、および両者間に介在される中間部材が互いに揺動可能に連結されるとともに、上記ベースの底部の前記竿掛に当接する両側部は角度調整用として円弧状に形成されていることを特徴とする。
【００１９】
請求項７記載の発明における釣竿保持具は、請求項１ないし請求項６のいずれか１項に記載の発明の構成において、上記把手のアームを所定の長さに調節保持する長さ調節機構を有することを特徴とする。
【００２０】
請求項８記載の発明における釣竿保持具は、請求項１ないし請求項７のいずれか１項に記載の釣竿保持具において、上記螺旋状の竿掛は、左右の各アームから中央に向けて螺旋状の巻方向が互いに逆向きとなるように形成されていることを特徴とする。
【００２１】
請求項９記載の発明における釣竿保持具は、請求項１ないし請求項８のいずれか１項に記載の発明の構成において、上記螺旋状の竿掛は、その表面に滑止用のラバーが固着されていることを特徴とする。
【発明の効果】
【００２２】
請求項１記載の発明の釣竿保持具は、基本的にはバケツと把手の組み合わせで構成されているので、持ち運びや設置が簡単である。また、バケツに水を満たすことでこれが重りになる。そして、釣竿は、竿尻が地面で支持され、中間は螺旋状の竿掛あるいは補助竿掛で支持されるので、釣竿の支点間の距離を十分大きくとることができる。しかも、把手の竿掛は螺旋状に形成されているので、把手の傾斜角度の大小に影響されることなく釣竿を竿掛の幅内であればどの箇所にも常に安定して載置することができる。これにより、従来に比べて釣竿が横風などを受けた場合でも一層安定して釣竿を保持することができる。
【００２３】
また、角度調節機構によって把手の傾斜角度を変化させることで釣竿の角度調節を容易に行えるため、糸の振りだし距離に応じて釣竿の水面に対する傾斜角度を自由に設定することができる。さらに、補助竿掛を把手の左右から張り出すことで、複数の釣竿を互いに角度をずらせた状態で配置して釣竿を保持することができる。したがって、複数の釣り位置（ポイント）を設定できるので、特に投げ釣り用として好適に使用することができる。また、保持機構により、補助竿掛を簡単に把手の左右から張り出したり、折り畳んだりできるので、釣竿保持具の持ち運びも容易である。
【００２４】
請求項２記載の発明の釣竿保持具は、請求項１記載の発明の効果に加えて、保持機構により、補助竿掛をそれぞれ把手の左右のアーム上端から張り出したり、折り畳んだりすることができるため、持ち運びを容易に行うことができる。
【００２５】
請求項３記載の発明の釣竿保持具は、基本的にはバケツと把手の組み合わせで構成されているので、持ち運びや設置が簡単である。また、バケツに水を満たすことでこれが重りになる。そして、釣竿は、竿尻側が一方の把手の凹凸形状の竿掛により、中間部分は他方の把手の螺旋状の竿掛によりそれぞれ支持されるので、釣竿の支点間の距離を十分大きくとることができる。しかも、片側の把手の竿掛は螺旋状に形成されているので、把手の傾斜角度の大小に影響されることなく竿掛の幅内であればどの箇所でも常に安定して釣竿を載置することができる。これにより、従来に比べて釣竿が横風などを受けた場合でも一層安定して釣竿を保持することができる。
【００２６】
また、前後の把手は、角度調節機構によって各竿掛が略同じ高さになるようにアームの角度を調節することで釣竿を水面に対して略平行に保持できるので、特にファミリーフッシングに好適に使用することができる。
【００２７】
請求項４記載の発明の釣竿保持具は、基本的にはバケツと把手の組み合わせで構成されているので、持ち運びや設置が簡単である。また、バケツに水を満たすことでこれが重りになる。そして、釣竿は、竿尻側が竿受けにより、竿中間部分は螺旋状の竿掛でそれぞれ支持されるので、釣竿の支点間の距離を十分大きくとることができる。しかも、片側の把手の竿掛は螺旋状に形成されているので、把手の傾斜角度の大小に影響されることなく竿掛の幅内であればどの箇所でも常に安定して釣竿を載置することができる。これにより、従来に比べて釣竿が横風などを受けた場合でも一層安定して釣竿を保持することができる。
【００２８】
また、前後の把手は、角度調節機構によってアームの角度を調節することで釣竿を水面に対して任意な角度に設定できるので、特にイカダ釣りに好適に使用することができる。
【００２９】
請求項５記載の発明の釣竿保持具は、請求項４記載の発明の効果に加えて、取付穴の位置を選択することで、竿受けを利き手に応じて竿掛の適切な位置に取付ネジで取り付けることができる。このため、使い勝手がよくなり便利である。
【００３０】
請求項６記載の発明の釣竿保持具は、請求項５記載の発明の効果に加えて、前後の把手の角度変化や釣竿の把手への載置角度に対応させて竿受けの角度を任意に調整することができる。このため、使い勝手が一層よくなり利便性が高まる。
【００３１】
請求項７記載の発明の釣竿保持具は、請求項１ないし請求項６のいずれか１項に記載の発明の効果に加えて、長さ調節機構によって把手のアームの長さを任意に調節できるため、把手の角度を変えて釣竿の傾斜角度を調整したい場合や、釣竿を把手に載置する際の安定度を高めたい場合に適応することができる。このため、さらに一層使い勝手がよくなり利便性が高まる。
【００３２】
請求項８記載の発明の釣竿保持具は、請求項１ないし請求項７のいずれか１項に記載の発明の効果に加えて、螺旋状の竿掛は、左右の各アームから中央に向けて螺旋状の巻方向が互いに逆向きとなるように形成されているので、竿掛中央から左方向と右方向の形状が面対称形となる。このため、竿掛を左右のアームに容易に一体的に連設することができる。
【００３３】
請求項９記載の発明の釣竿保持具は、螺旋状の竿掛はその表面に滑止用のラバーが固着されているので、その上に釣竿を載置した場合でも滑りにくくなる。このため、魚を釣ったときや風を受けた場合でも、釣竿が把手から滑って釣竿保持具から外れてしまうといった不都合が生じるのを防止することができる。
【発明を実施するための最良の形態】
【００３４】
実施の形態１．
図１は本発明の実施の形態１における釣竿保持具に釣竿を載置した使用状態を示す斜視図、図２は同釣竿保持具の正面図、図３は同釣竿保持具が備える角度調節機構を拡大して示す正面図、図４は同角度調節機能の分解斜視図、図５は同釣竿保持具が備える長さ調節機構および補助竿掛を水平状態に保持する保持機構を拡大して示す正面図である。
【００３５】
この実施の形態１の釣竿保持具１は、バケツ２、把手３、この把手３をバケツ２に対して所望の傾斜角度に調節保持する角度調節機構４、把手３を所望の長さに調節保持する長さ調節機構５、および把手３の上端から左右外方にそれぞれ張り出すように揺動可能に設けられた補助竿掛６、および各補助竿掛６を略水平状態に保持する保持機構７を備えている。
【００３６】
バケツ２は、合成樹脂製のものであって、開口上縁の手前部分には釣竿Ｆを仮置きするなどの利便性のために断面Ｖ字形の切れ込み２ａが形成され、また、上端部の左右壁には角度調節機構４を構成するための菊座部２ｂが形成され、各菊座部２ｂの中央には角度調節ネジ１４が螺合される雌ネジ部２ｃが設けられている。
【００３７】
把手３は、合成樹脂製のもので、バケツ２に取り付けられる左右のアーム１０と、各アーム１０の上端を連結する竿掛１１とを有する。
【００３８】
左右の各アーム１０は、円筒状の支持部材１２内に中実の支え棒１３が軸方向に摺動自在に嵌入されて構成されている。そして、支持部材１２の上部にはその周壁を貫通するネジ穴１２ａが形成され、また、支持部材１２の基端部の片側に菊座部１２ｂが形成されるとともに、この菊座部１２ｂ中央を貫通して角度調節ネジ１４の差込穴１２ｃが設けられている。一方、支え棒１３にはその周側部の一部に鋸歯波状の係止部１３ｂが形成されている。
【００３９】
前述の竿掛１１は、左右のアーム１０から一体的に延設されており、各支え棒１３から中央に向けて巻方向が互いに逆向きとなるように螺旋状に形成されている。このように、竿掛１１において左右の各支え棒１３から延びる巻方向を逆にすることにより、竿掛１１中央から左方向と右方向の形状が面対称形となるので、竿掛１１を左右の支え棒１３に容易に一体的に連設することができる。さらに、この竿掛１１の表面には釣竿滑止用のラバー７４が固着されている。このように竿掛１１の表面にラバー７４を固着すると、その上に釣竿Ｆを載置した場合でも滑りにくくなる。このため、魚を釣ったときや風を受けた場合でも、釣竿Ｆが把手３から滑って釣竿保持具１から外れてしまうといった不都合が生じるのを防止することができて都合がよい。
【００４０】
角度調節機構４は、バケツ２の菊座部２ｂと支持部材１２の菊座部１２ｂとを噛み合わせた状態で、角度調節ネジ１４を支持部材１２の差込穴１２ｃを通してバケツ２の雌ネジ部２ｃに螺合することにより構成されている。すなわち、角度調節ネジ１４を緩めてバケツ２と把手３の両菊座部２ｂ，１２ｂの噛み合わせ位置を変えてから、角度調節ネジ１４を締め付けることで左右のアーム１０の傾斜角度が調節される。なお、１４ａは角度調節ネジ１４の抜け止め用として角度調節ネジ１４の端部に嵌合されるキャップである。
【００４１】
長さ調節機構５は、長さ調節ネジ１７を支持部材１２のネジ穴１２ａに螺合するとともに、支持部材１２の上端に押さえバネ１８をネジ１９で固定し、この押さえバネ１８を支え棒１３の係止部１３ｂに係合することにより構成されている。すなわち、長さ調節ネジ１７を緩めて支え棒１３を上下に摺動して支持部材１２からの突出長さを調節した後、長さ調節ネジ１７を締め付けることで支え棒１３が支持部材１２に固定される。この場合、押さえバネ１８が係止部１３ｂに係合することで、長さ調節ネジ１７を緩めた際に支え棒１３が支持部材１２内に不意に落下するのが防止される。
【００４２】
さらに、各アーム１０を構成する支え棒１３の上端からは外方に円筒状の突出部２１が一体的に突出されている。そして、各突出部２１には、補助竿掛６が左右外方に張り出すように揺動可能に取り付けられるとともに、補助竿掛６を略水平状態に保持する保持機構７が設けられている。
【００４３】
補助竿掛６は、円柱状の基端部６ａと、この基端部６ａの先端から延びる螺旋状の竿掛部６ｂとを有する。そして、基端部６ａは支軸２２によって突出部２１に揺動可能に取り付けられている。また、竿掛部６ｂは、竿掛１１の巻方向と連続した巻方向となるように左巻あるいは右巻に螺旋状に形成されている。なお、この補助竿掛６についてもその表面にラバーを被覆した構成とすることも可能である。
【００４４】
図６は保持機構の詳細を示す分解斜視図、図７は同保持機構の縦断面図、図８は同保持機構の斜視図、図９および図１０は補助竿掛の基端部を保持機構で保持する場合の操作手順の説明に供する横断面図である。なお、図９および図１０において、（ａ）は後述のフック２５を含む部分の横断面図を、（ｂ）は後述の制止片２６を含む部分の横断面図をそれぞれ示している。
【００４５】
保持機構７は、上記の突出部２１、この突出部２１に外嵌される摘まみカバー２４、補助竿掛の基端部６ａを係止するフック２５、摘まみカバー２４を突出部２１に制止するための制止片２６、およびネジ２７，２８を備えて構成されている。
【００４６】
すなわち、突出部２１の先端部分には、軸方向に沿って周壁の上部二カ所にフック２５差し込み用の切り込み２１ａが、また、下部には補助竿掛６の基端部６ａ嵌入用の切欠部２１ｂがそれぞれ形成されている。また、突出部２１には周方向に沿って円弧状に長穴２１ｃが形成されている。
【００４７】
摘まみカバー２４は略紡錘形状をしており、その周壁の一部は軸方向に沿って切り欠いて切欠部２４ａが、また、周壁の一部にはネジ孔２４ｂがそれぞれ形成されている。そして、このネジ孔２４ｂにネジ２７が螺合されてそのネジ２７の先端が突出部２１の長穴２１ｃ内に突出している。
【００４８】
フック２５は板バネ等を成形加工することにより断面が左右対称形に形成されており、補助竿掛６の基端部６ａを係止する左右の抱き込み部２５ａ、および左右の抱き込み部２５ａを連結する円弧状の差込部２５ｂを有し、この差込部２５ｂが突出部２１の切り込み２１ａに差し込まれている。
【００４９】
係止片２６は板バネ等を成形加工することによりフック部２６ａと取付部２６ｂとが一体成形されており、フック部２６ａが突出部２１の長穴２１ｃに臨むようにして配置された状態で取付部２６ｂがネジ２８で突出部２１の周壁に固定されている。
【００５０】
上記構成において、例えば、投げ釣りを行うために釣竿保持具１を用いて釣竿Ｆを保持するには、バケツ２に水を満たして重りとした後、角度調節機構４により把手３の傾斜角度を調節し、また、長さ調節機構５により把手３の左右のアーム１０の長さを調節する。
【００５１】
さらに、フック２５を突出部２１の切り込み２１ａに挿着した後、図１０に示すように、摘まみカバー２４を突出部２１に外嵌し、次にネジ２７をネジ孔２４ｂに螺合して突出部２１の長穴２１ｃ内に突出させるとともに、切欠部２４ａを突出部２１の切欠部２１ｂに合わせるようにする。この状態で補助竿掛６を支軸２２を中心に回動して把手の左右のアーム１０外方に張り出すようにし、上記の各切欠部２４ａ，２１ｂを通して基端部６ａをフック２５の抱き込み部２５ａに係止する。次いで、図９に示すように、摘まみカバー２４を例えば図中反時計方向に回してネジ２７を係止片２６のフック部２６ａに係止する。これにより、補助竿掛６の基端部６ａが略水平状態に保持される。
【００５２】
このように、補助竿掛６を把手３の左右のアーム１０から外方に張り出し保持することで、竿掛１１および補助竿掛６によって複数の釣竿Ｆを互いに角度をずらせた状態で配置することができる。これにより、複数の釣り位置（ポイント）を設定できるので、特に投げ釣り用として好適に使用することができる。
【００５３】
以上のように、この実施の形態１の釣竿保持具１は、基本的にはバケツ２と把手３の組み合わせで構成されているので、持ち運びや設置が簡単である。また、バケツ２内にはエサや汚れ物を入れて持ち運びできるので便利である。また、バケツ２に水を満たすことでこれが重りになる。そして、釣竿Ｆは、竿尻が地面で支持され、中間は螺旋状の竿掛１１あるいは補助竿掛６で支持されるので、釣竿Ｆの支点間の距離を十分大きくとることができる。また、保持機構７により、各補助竿掛６を簡単に把手３のアーム１０上端から張り出したり折り畳んだりできるので、釣竿保持具１の持ち運びが容易になる。
【００５４】
しかも、把手３の竿掛１１は螺旋状に形成されているので、把手３の傾斜角度の大小にかかわらず竿掛１１は略同じ形状を維持することができ、釣竿Ｆを竿掛１１の幅内であればどの箇所にも常に安定して載置することができる。これにより、従来に比べて釣竿Ｆが横風などを受けた場合でも一層安定して保持することができる。
【００５５】
また、角度調節機構４によって把手３の角度を変化させることで釣竿Ｆの角度調節を容易に行えるため、糸の振りだし距離に応じて釣竿Ｆの水面に対する傾斜角度を自由に設定することができる。
【００５６】
さらに、長さ調節機構５によって把手３のアーム１０の長さを任意に調節できるため、把手３の角度を変えて釣竿Ｆの傾斜角度を調整したい場合や、釣竿Ｆを把手３に載置する際の安定度を高めたい場合に適応することができる。このため、さらに一層使い勝手がよくなり利便性が高まる。
【００５７】
実施の形態２．
図１１は本発明の実施の形態２における釣竿保持具に釣竿を載置した使用状態を示す斜視図、図１２は同釣竿保持具が備える角度調節機構を拡大して示す正面図、図１３は同釣竿保持具の竿先側の把手の竿掛部分を拡大して示す平面図である。
【００５８】
この実施の形態２の釣竿保持具３１は、バケツ３２、前後２つの把手３３，３４、および各把手３３，３４をバケツ３２に対して所望の傾斜角度に調節保持る角度調節機構３５を備えている。
【００５９】
バケツ３２は、合成樹脂製のものであって、開口上縁の手前部分には釣竿Ｆを仮置きするなどの利便性のために断面Ｖ字形の切れ込み３２ａが形成され、また、上端部の左右壁には角度調節機構３５を構成するための菊座部３２ｂが形成され、この菊座部３２ｂの中央には角度調節ネジ３６が螺合される雌ネジ部３２ｃが設けられている。
【００６０】
竿先側の把手３３は、中実の合成樹脂製のもので、バケツ３２に取り付けられる左右のアーム３９と、これらのアーム３９の上端を連結する竿掛４０とを有する。そして、この場合も、実施の形態１と同様、竿掛４０は左右のアーム３９から一体的に延設されており、各アーム３９から中央に向けて螺旋状の巻方向が互いに逆向きとなるように形成されている。また、この竿掛４０の表面には釣竿滑止用のラバー７４が固着されている。さらに、各アーム３９は、その根元部分の周面両側に菊座部３９ａが形成されるとともに、この菊座部３９ａ中央を貫通して角度調節ネジ３６の差込穴３９ｂが設けられている。
【００６１】
一方、竿尻側の把手３４は、中実の合成樹脂製のもので、バケツ３２に取り付けられる左右のアーム４１と、このアーム４１の上端を連結する竿掛４２とを有する。そして、竿掛４２は、単純な波形に形成されていて各アーム４１から一体的に延設されている。また、この竿掛４２の表面には釣竿滑止用のラバー７４が固着されている。さらに、各アーム４１は、その根元部分の内側に菊座部４１ａが形成されるとともに、この菊座部４１ａ中央を貫通して角度調節ネジ３６の差込穴４１ｂが設けられている。
なお、竿先側の把手３３の竿掛４０の螺旋状のピッチと、竿尻側の把手３４の波状の竿掛４２のピッチとは互いに略一致するように形成されていて釣竿Ｆを前後の把手３３，３４の上に容易に載置できるようにしている。
【００６２】
角度調節機構３５は、バケツ３２の菊座部３２ｂと前後の把手３３，３４の各菊座部３９ａ，４１ａとを噛み合わせた状態で、角度調節ネジ３６を差込穴３９ｂ，４１ｂを通してバケツ３２の雌ネジ部３２ｂに螺合することにより構成されている。すなわち、角度調節ネジ３６を緩めてバケツ３２と把手３３，３４の菊座部３９ａ，４１ａの噛み合わせ位置を変えてから、再度角度調節ネジ３６を締め付けることで把手３３，３４の左右のアーム３９，４１の傾斜角度が調節される。なお、３６ａは角度調節ネジ３６の抜け止め用として角度調節ネジ３６の端部に嵌合されるキャップである。
【００６３】
上記構成において、例えば、ファミリーフッシングを行うためにこの釣竿保持具３１を用いて釣竿Ｆを保持するには、バケツ３２に水を満たして重りとした後、角度調節機構３５により前後の把手３３，３４の傾斜角度をそれぞれ調節する。特にファミリーフッシングの場合には、図１４（ａ）に示すように、角度調節機構３５によって前後の把手３３，３４の各竿掛４０，４２が略同じ高さになるように角度を調節する。そして、前後の把手３３，３４の竿掛４０，４２に橋渡しするように釣竿Ｆを載置することで釣竿Ｆを水面に対して略平行に保持する。
【００６４】
なお、図１４（ｂ）に示すように、竿尻側の把手３４をバケツ３２の上面より下方に下げてリールＧがバケツ３２の縁の側面に当接した状態にしておけば、釣れた魚によって釣竿Ｆが不意に引きずられてしまうといったことを防止することができる。
【００６５】
このように、この実施の形態２の釣竿保持具３１は、基本的にはバケツ３２と前後２つの把手３３，３４の組み合わせで構成されているので、持ち運びや設置が簡単である。また、バケツ３２に水を満たすことでこれが重りになる。そして、釣竿Ｆは、前後の把手３３，３４の竿掛４０，４２でそれぞれ支持されるので、釣竿Ｆの支点間の距離を十分大きくとることができる。しかも、竿先側の把手３３の竿掛４０は螺旋状に形成されているので、把手３３の傾斜角度の大小にかかわらず竿掛４０は略同じ形状を維持することができ、釣竿Ｆを竿掛４０の幅内であればどの箇所でも常に安定して載置することができる。これにより、従来に比べて釣竿Ｆが横風などを受けた場合でも一層安定して保持することができる。
【００６６】
実施の形態３．
図１５は本発明の実施の形態３における釣竿保持具を示す斜視図、図１６は同釣竿保持具の側面図である。また、図１７は同釣竿保持具が備える竿受けを示すもので、同図（ａ）は一部を切欠して示す正面図、同図（ｂ）は側面図、同図（ｃ）は底面図である。
【００６７】
この実施の形態３の釣竿保持具は、バケツ５２、前後２つの把手５３，５４、および各把手５３，５４をバケツ５２に対して所望の傾斜角度に調節する角度調節機構５５、および竿尻側の把手５４に着脱自在に取り付けられる竿受け５６を備えている。
【００６８】
竿先側の把手５３は中実の合成樹脂製のもので、左右のアーム５９と、両アーム５９の上端から一体的に延設されてこれらを連結する竿掛６０とを有する。そして、この場合の竿掛６０は、実施の形態１と同様、左右のアーム５９から一体的に延設されており、各アーム５９から中央に向けて螺旋状の巻方向が互いに逆向きとなるように形成されている。また、この竿掛６０の表面には釣竿滑止用のラバー７４が固着されている。
【００６９】
一方、竿尻側の把手５４は中実の合成樹脂製のもので、左右の各アーム６１と、両アーム６１の上端を連結する竿掛６２とを有する。そして、竿掛６２は平板状のものでアームから一体的に延設されて形成されており、この竿掛６２には長手方向に沿って複数の取付穴６２ａが形成されている。そして、これらの取付穴６２ａの内の一つを通した取付ネジ６３によって竿受け５６が竿掛６２に固定されている。
【００７０】
上記の竿受け５６は、竿掛６２に取り付けられるベース６６、釣竿ＦのリールＧが載置される上部が円弧状のリール置き６７、および両者６６，６７間に介在される中間部材６８が角度調整ネジ６９，７０を介して互いに揺動可能に連結されている。さらに、竿掛６２に当接するベース６６底部の両側面６６ａは円弧状に形成されており、これによって取付ネジ６３を緩めて竿掛６２に対する竿受け５６全体の取付角度を調整できるようにしている。
【００７１】
なお、この実施の形態３において、バケツ５２、および角度調節機構５５の構成は、実施の形態２で示した場合の構成と基本的に同じであるから、ここでは詳しい説明は省略する。
【００７２】
上記構成において、例えば、イカダ釣りを行うために釣竿保持具５１を用いて釣竿Ｆを保持するには、バケツ５２に水を満たして重りとした後、角度調節機構５５により前後の把手５３，５４の傾斜角度を調節する。
【００７３】
また、釣り人の利き手に応じて竿尻側の把手５４の竿掛６２に形成されている取付穴６２ａの位置を選択し、選択した取付穴６２ａに取付ネジ６３を通して竿受け５６を取り付ける。このように、利き手に応じて竿受け５６を竿掛６２の適切な位置に取り付けることができるため、使い勝手が良くて便利である。
【００７４】
そして、竿受け５６のネジ６９，７０を緩めてリール置き６７や中間部材６８が前後の把手５３，５４の傾斜角度に合わせて適切な角度となるように調節する。そして、竿先側の把手５３の竿掛６０に釣竿Ｆを載置し、また竿尻側の把手５４に設けた竿受け５６のリール置き６７の上にリールＧを載置する。
【００７５】
このように、この実施の形態３の釣竿保持具５１は、基本的にはバケツ５２と前後２つの把手５３，５４の組み合わせで構成されているので、持ち運びや設置が簡単である。また、バケツ５２に水を満たすことでこれが重りになる。そして、釣竿Ｆは、竿先側の把手５３の竿掛６０と竿尻側の把手５４に取り付けた竿受け５６で支持されるので、釣竿Ｆの支点間の距離を十分大きくとることができる。
【００７６】
しかも、竿先側の把手５３の竿掛６０は螺旋状に形成されているので、把手５３の傾斜角度の大小にかかわらず竿掛６０は略同じ形状を維持することができ、釣竿Ｆを竿掛６０の幅内であればどの箇所にも常に安定して載置することができる。これにより、従来に比べて釣竿Ｆが横風などを受けた場合でも一層安定して釣竿を保持することができる。
【００７７】
また、前後の把手５３，５４は、角度調節機構５５によってアーム５９，６１の角度を調節することで釣竿Ｆを水面に対して任意な角度に設定できる。また、竿受け５６は、前後の把手５３，５４の角度変化や釣竿Ｆの把手への載置角度に対応させて角度を任意に調整することができる。このため、使い勝手が良くて特にイカダ釣りに好適に使用することができる。
【００７８】
上記の実施の形態１〜３では、釣竿の中間部分が載置される把手３，３３，５３の竿掛１１，４０，６０の形状を螺旋状としているが、本発明はこのような螺旋状に限定されるものではなく、波形のものや、凹凸形状に成形したものを使用することも可能である。
【００７９】
また、実施の形態２，３では、各把手３３，３４，５３，５４の左右のアーム３９，４１，５９，６１には特に長さ調節機構を設けていないが、長さ調節機構を備えた構成とすることも可能である。
【００８０】
上記の実施の形態２，３では、前後２つに把手３３，３４、５３，５４がある場合において、左右の各一カ所に設けた角度調節機構３５，５５によって前後の把手３３，３４および５３，５４の傾斜角度を変化できるようにしている。しかし、本発明はこのような構成に限定されるものではなく、例えば、図１８に示すように、前後の各把手３３，３４および５３，５４ごとに別々に角度調節機構７２，７３を設けた構成とすることも可能である。この場合の各々の角度調節機構７２，７３は、例えば実施の形態１に示した角度調節機構４の構成を採用することができる。
【図面の簡単な説明】
【００８１】
【図１】本発明の実施の形態１における釣竿保持具に釣竿を載置した使用状態を示す斜視図である。
【図２】同釣竿保持具の正面図である。
【図３】同釣竿保持具が備える角度調節機構を示す正面図である。
【図４】同釣竿保持具が備える角度調節機構を拡大して示す分解斜視図である。
【図５】同釣竿保持具が備える長さ調節機構および補助竿掛を水平状態に保持する保持機構を拡大して示す正面図である。
【図６】同釣竿保持具が備える保持機構の詳細を示す分解斜視図である。
【図７】同保持機構の縦断面図である。
【図８】同保持機構の斜視図である。
【図９】補助竿掛の基端部を保持機構で保持する場合の操作手順の説明に供する横断面図で、同図（ａ）はフックを含む部分を、同図（ｂ）は制止片を含む部分をそれぞれ示している。
【図１０】補助竿掛の基端部を保持機構で保持する場合の操作手順の説明に供する横断面図で、同図（ａ）はフックを含む部分を、同図（ｂ）は制止片を含む部分をそれぞれ示している。
【図１１】本発明の実施の形態２における釣竿保持具に釣竿を載置した使用状態を示す斜視図である。
【図１２】同釣竿保持具が備える角度調節機構を拡大して示す正面断面図である。
【図１３】同釣竿保持具の竿先側の把手の竿掛部分を拡大して示す平面図である。
【図１４】同釣竿保持具の使用態様の一例を示す側面図である。
【図１５】本発明の実施の形態３における釣竿保持具を示す斜視図である。
【図１６】同釣竿保持具の側面図である。
【図１７】同釣竿保持具が備える竿受けを示すもので、同図（ａ）は一部を切欠して示す正面図、同図（ｂ）は側面図、同図（ｃ）は底面図である。
【図１８】実施の形態２，３の変形例を示す側面図である。
【符号の説明】
【００８２】
１  釣竿保持具、２  バケツ、３  把手、４  角度調節機構、５  長さ調節機構、６  補助竿掛、７  保持機構、１０  アーム、１１  竿掛、２１  突出部、
２１ａ  切欠部、２４  摘まみカバー、３１  釣竿保持具、３２  バケツ、
３３，３４  把手、３５  角度調節機構、３９  アーム、４０  竿掛、
４１  アーム、４２  竿掛、５１  釣竿保持具、５２  バケツ、５３，５４  把手、５５  角度調節機構、５６  竿受け、５９  アーム、６０  竿掛、６１  アーム、
６２  竿掛、６２ａ  取付穴、６６  ベース、６６ａ  側部、６７  リール置き、
６８  中間部材、７４  ラバー。
【要約】
【課題】  持ち運びや設置が簡単で、従来よりも安定して釣竿を保持でき、釣竿の角度調節も容易で、各種の魚釣に適応して使用することができる釣竿保持具を提供する。
【解決手段】  バケツ２、把手３、および把手３をバケツ２に対して所望の傾斜角度に維持する角度調節機構４を備えており、把手３には左右のアーム１０上端を連結する竿掛１１が螺旋状に形成されている。また、把手３の各アーム１０上端には螺旋状に形成された補助竿掛６がそれぞれ左右に張り出すように揺動自在に設けられるとともに、補助竿掛６を略水平状態に保持する保持機構７を備える。
【選択図】        図１
【図１】
0003566718.tif 000002
【図２】
0003566718.tif 000003
【図３】
0003566718.tif 000004
【図４】
0003566718.tif 000005
【図５】
0003566718.tif 000006
【図６】
0003566718.tif 000007
【図７】
0003566718.tif 000008
【図８】
0003566718.tif 000009
【図９】
0003566718.tif 000010
【図１０】
0003566718.tif 000011
【図１１】
0003566718.tif 000012
【図１２】
0003566718.tif 000013
【図１３】
0003566718.tif 000014
【図１４】
0003566718.tif 000015
【図１５】
0003566718.tif 000016
【図１６】
0003566718.tif 000017
【図１７】
0003566718.tif 000018
【図１８】
0003566718.tif 000019